(57)【要約】【課題】幅の異なる第１媒体及び第２媒体を搬送して、それらの画像を読み取ることが可能であるとともに、第１媒体の第１搬送路における斜行を抑制できる画像読取装置を提供する。【解決手段】画像読取装置１において、上流側搬送部１１０は、供給部４１に対して幅方向の一端側に位置し、第１媒体ＳＨ及び第２媒体ＣＡを挟みながら搬送する第１上流側ローラ対１１１と、供給部４１に対して幅方向の他端側に位置し、第１媒体ＳＨを挟みながら搬送する第２上流側ローラ対１１２とを有する。下流側搬送部１２０は、供給部４１に対して幅方向の一端側に位置し、第１媒体ＳＨ及び第２媒体ＣＡを挟みながら搬送する第１下流側ローラ対１２１と、供給部４１に対して幅方向の他端側に位置し、第１媒体ＳＨを挟みながら搬送する第２下流側ローラ対１２２とを有する。【選択図】図５
2014069916.tif 000002
【特許請求の範囲】
【請求項１】
第１媒体を案内するように構成される第１搬送路と、前記第１搬送路における前記第１媒体の幅方向の一端側において、前記第１媒体よりも狭幅の第２媒体を案内するように構成される第２搬送路とが形成されている筐体と、
前記筐体内に設けられ、前記第１搬送路において搬送される前記第１媒体の画像を読み取るように構成されるとともに、前記第２搬送路において搬送される前記第２媒体の画像を読み取るように構成される読取部と、
前記筐体に設けられ、前記第１媒体を前記第１搬送路に送り出すように構成される供給部と、
前記筐体内で前記供給部より前記第１搬送路の下流側、かつ前記読取部より前記第１搬送路の上流側に設けられ、前記第１媒体を搬送するように構成されるとともに、前記第２媒体を搬送するように構成される上流側搬送部と、
前記筐体内で前記読取部より前記第１搬送路の下流側に設けられ、前記第１媒体を搬送するように構成されるとともに、前記第２媒体を搬送するように構成される下流側搬送部とを備え、
前記上流側搬送部は、前記供給部に対して前記幅方向の一端側に位置し、前記第１媒体及び前記第２媒体を挟みながら搬送する第１上流側ローラ対と、前記供給部に対して前記幅方向の他端側に位置し、前記第１媒体を挟みながら搬送する第２上流側ローラ対とを有し、
前記下流側搬送部は、前記供給部に対して前記幅方向の一端側に位置し、前記第１媒体及び前記第２媒体を挟みながら搬送する第１下流側ローラ対と、前記供給部に対して前記幅方向の他端側に位置し、前記第１媒体を挟みながら搬送する第２下流側ローラ対とを有していることを特徴とする画像読取装置。
【請求項２】
前記上流側搬送部は、前記幅方向において前記第１上流側ローラ対と前記第２上流側ローラ対との間に位置し、前記第１媒体を挟みながら搬送する第３上流側ローラ対を有し、
前記下流側搬送部は、前記幅方向において前記第１下流側ローラ対と前記第２下流側ローラ対との間に位置し、前記第１媒体を挟みながら搬送する第３下流側ローラ対を有している請求項１記載の画像読取装置。
【請求項３】
前記第３上流側ローラ対が前記第１媒体を挟むニップ力は、前記第１上流側ローラ対が前記第１媒体を挟むニップ力及び前記第２上流側ローラ対が前記第１媒体を挟むニップ力より大きく、
前記第３下流側ローラ対が前記第１媒体を挟むニップ力は、前記第１下流側ローラ対が前記第１媒体を挟むニップ力及び前記第２下流側ローラ対が前記第１媒体を挟むニップ力より大きい請求項２記載の画像読取装置。
【請求項４】
前記第１上流側ローラ対、前記第２上流側ローラ対、前記第３上流側ローラ対、前記第１下流側ローラ対、前記第２下流側ローラ対及び前記第３下流側ローラ対はそれぞれ、回転駆動される駆動ローラと、前記駆動ローラに向けて付勢され、前記駆動ローラによって従動回転するピンチローラとを有し、
前記第１上流側ローラ対、前記第２上流側ローラ対及び前記第３上流側ローラ対の各前記駆動ローラは、前記幅方向と平行な第１駆動軸心周りに回転可能に支持され、
前記第１下流側ローラ対、前記第２下流側ローラ対及び前記第３下流側ローラ対の各前記駆動ローラは、前記第１駆動軸心と平行な第２駆動軸心周りに回転可能に支持されている請求項３記載の画像読取装置。
【請求項５】
前記第１上流側ローラ対、前記第２上流側ローラ対及び前記第３上流側ローラ対の各前記ピンチローラは、前記第１媒体又は前記第２媒体に当接していない状態では、前記第１駆動軸心と平行な第１従動軸心周りに回転可能に支持され、前記第１媒体又は前記第２媒体に当接することにより個別に前記第１駆動軸心から離間するように構成され、
前記第１下流側ローラ対、前記第２下流側ローラ対及び前記第３下流側ローラ対の各前記ピンチローラは、前記第１媒体又は前記第２媒体に当接していない状態では、前記第２駆動軸心と平行な第２従動軸心周りに回転可能に支持され、前記第１媒体又は前記第２媒体に当接することにより個別に前記第２駆動軸心から離間するように構成されている請求項４記載の画像読取装置。
【請求項６】
前記第１上流側ローラ対が有する前記駆動ローラ及び前記ピンチローラの前記幅方向の長さをＬ１１とし、
前記第２上流側ローラ対が有する前記駆動ローラ及び前記ピンチローラの前記幅方向の長さをＬ１２とし、
前記第３上流側ローラ対が有する前記駆動ローラ及び前記ピンチローラの前記幅方向の長さをＬ１３とし、
前記第１上流側ローラ対が有する前記ピンチローラの前記駆動ローラに対する付勢力をＦ１１とし、
前記第２上流側ローラ対が有する前記ピンチローラの前記駆動ローラに対する付勢力をＦ１２とし、
前記第３上流側ローラ対が有する前記ピンチローラの前記駆動ローラに対する付勢力をＦ１３とした場合、
長さＬ１１と長さＬ１２とが等しく、
付勢力Ｆ１１と付勢力Ｆ１２とが等しく、
（付勢力Ｆ１３／長さＬ１３）は、（付勢力Ｆ１１／長さＬ１１）と（付勢力Ｆ１２／長さＬ１２）とに等しい請求項５記載の画像読取装置。
【請求項７】
前記第１下流側ローラ対が有する前記駆動ローラ及び前記ピンチローラの前記幅方向の長さをＬ２１とし、
前記第２下流側ローラ対が有する前記駆動ローラ及び前記ピンチローラの前記幅方向の長さをＬ２２とし、
前記第３下流側ローラ対が有する前記駆動ローラ及び前記ピンチローラの前記幅方向の長さをＬ２３とし、
前記第１下流側ローラ対が有する前記ピンチローラの前記駆動ローラに対する付勢力をＦ２１とし、
前記第２下流側ローラ対が有する前記ピンチローラの前記駆動ローラに対する付勢力をＦ２２とし、
前記第３下流側ローラ対が有する前記ピンチローラの前記駆動ローラに対する付勢力をＦ２３とした場合、
長さＬ２１と長さＬ２２とが等しく、
付勢力Ｆ２１と付勢力Ｆ２２とが等しく、
（付勢力Ｆ２３／長さＬ２３）は、（付勢力Ｆ２１／長さＬ２１）と（付勢力Ｆ２２／長さＬ２２）とに等しい請求項５又は６記載の画像読取装置。
【請求項８】
前記供給部は、前記第１媒体を一枚ずつに分離して前記第１搬送路に送り出すように構成される分離ローラであり、
前記分離ローラが前記第１媒体を搬送する搬送速度は、前記上流側搬送部及び前記下流側搬送部が前記第１媒体を搬送する搬送速度より遅くされ、
前記分離ローラと前記上流側搬送部とが前記第１媒体を搬送する際、前記分離ローラは前記第１媒体に従動するように構成されている請求項１乃至７のいずれか１項記載の画像読取装置。
【発明の詳細な説明】
【技術分野】
【０００１】
本発明は画像読取装置に関する。
【背景技術】
【０００２】
特許文献１に画像読取装置の例が開示されている。この画像読取装置は、筐体と、読取部と、供給部と、上流側搬送部と、下流側搬送部とを備えている。
【０００３】
筐体には、第１搬送路と、第２搬送路とが形成されている。第１搬送路は、第１媒体を案内するように構成されている。第２搬送路は、第１搬送路における第１媒体の幅方向の一端側において、第１媒体よりも狭幅の第２媒体を案内するように構成されている。
【０００４】
読取部は、筐体内に設けられている。読取部は、第１搬送路において搬送される第１媒体の画像を読み取るように構成されている。また、読取部は、第２搬送路において搬送される第２媒体の画像を読み取るように構成されている。
【０００５】
供給部は、筐体に設けられ、第１媒体を第１搬送路に送り出すように構成されている。
【０００６】
上流側搬送部は、筐体内で供給部より第１搬送路の下流側、かつ読取部より第１搬送路の上流側に設けられている。上流側搬送部は、第１媒体を搬送するように構成されているとともに、第２媒体を搬送するように構成されている。上流側搬送部は、幅方向の中央位置にある第１上流側ローラ対と、供給部に対して幅方向の一端側に位置する第２上流側ローラ対とを有している。第１上流側ローラ対は、第１媒体及び第２媒体を挟みながら搬送する。第２上流側ローラ対も、第１媒体及び第２媒体を挟みながら搬送する。すなわち、第２上流側ローラ対は、第１媒体が搬送される場合には、第１媒体を挟んで搬送し、第２媒体が搬送される場合には、第２媒体を挟んで搬送する。
【０００７】
下流側搬送部は、筐体内で読取部より第１搬送路の下流側に設けられている。下流側搬送部は、第１媒体を搬送するように構成されているとともに、第２媒体を搬送するように構成されている。下流側搬送部は、幅方向の中央位置にある第１下流側ローラ対と、供給部に対して幅方向の一端側に位置する第２下流側ローラ対とを有している。第１下流側ローラ対は、第１媒体及び第２媒体を挟みながら搬送する。第２下流側ローラ対も、第１媒体及び第２媒体を挟みながら搬送する。すなわち、第２下流側ローラ対は、第１媒体が搬送される場合には、第１媒体を挟んで搬送し、第２媒体が搬送される場合には、第２媒体を挟んで搬送する。
【０００８】
上記画像読取装置は、このような読取部、供給部、上流側搬送部及び下流側搬送部により、幅の異なる第１媒体及び第２媒体を搬送しつつ、それらの画像を読み取ることができる。
【先行技術文献】
【特許文献】
【０００９】
【特許文献１】特開２００８−２８５２５９号公報
【発明の概要】
【発明が解決しようとする課題】
【００１０】
ところで、上記画像読取装置では、上記のように構成されていることから、供給部から第１媒体に伝達される搬送力が第１媒体における幅方向の一端側と他端側との間に作用する。一方、第２上流側ローラ対及び第２下流側ローラ対のそれぞれから第１媒体に伝達される搬送力が第１媒体における幅方向の一端側に作用する。このため、それらの搬送力が第１媒体における幅方向の一端側に偏って作用する。その結果、この画像読取装置では、第１媒体が第１搬送路において斜行し易いという問題がある。
【００１１】
本発明は、上記実情に鑑みてなされたものであって、幅の異なる第１媒体及び第２媒体を搬送して、それらの画像を読み取ることが可能であるとともに、第１媒体の第１搬送路における斜行を抑制できる画像読取装置を提供することを目的とする。
【課題を解決するための手段】
【００１２】
本発明の画像読取装置は、第１媒体を案内するように構成される第１搬送路と、前記第１搬送路における前記第１媒体の幅方向の一端側において、前記第１媒体よりも狭幅の第２媒体を案内するように構成される第２搬送路とが形成されている筐体と、
前記筐体内に設けられ、前記第１搬送路において搬送される前記第１媒体の画像を読み取るように構成されるとともに、前記第２搬送路において搬送される前記第２媒体の画像を読み取るように構成される読取部と、
前記筐体に設けられ、前記第１媒体を前記第１搬送路に送り出すように構成される供給部と、
前記筐体内で前記供給部より前記第１搬送路の下流側、かつ前記読取部より前記第１搬送路の上流側に設けられ、前記第１媒体を搬送するように構成されるとともに、前記第２媒体を搬送するように構成される上流側搬送部と、
前記筐体内で前記読取部より前記第１搬送路の下流側に設けられ、前記第１媒体を搬送するように構成されるとともに、前記第２媒体を搬送するように構成される下流側搬送部とを備え、
前記上流側搬送部は、前記供給部に対して前記幅方向の一端側に位置し、前記第１媒体及び前記第２媒体を挟みながら搬送する第１上流側ローラ対と、前記供給部に対して前記幅方向の他端側に位置し、前記第１媒体を挟みながら搬送する第２上流側ローラ対とを有し、
前記下流側搬送部は、前記供給部に対して前記幅方向の一端側に位置し、前記第１媒体及び前記第２媒体を挟みながら搬送する第１下流側ローラ対と、前記供給部に対して前記幅方向の他端側に位置し、前記第１媒体を挟みながら搬送する第２下流側ローラ対とを有していることを特徴とする。
【００１３】
本発明の画像読取装置では、上記特許文献１開示の画像読取装置と同様、供給部から第１媒体に伝達される搬送力が第１媒体における幅方向の一端側と他端側との間に作用する。また、第１上流側ローラ対及び第１下流側ローラ対のそれぞれから第１媒体に伝達される搬送力が第１媒体における幅方向の一端側に作用する。しかしながら、この画像読取装置では、上流側搬送部が第２上流側ローラ対を有し、下流側搬送部が第２下流側ローラ対を有しているため、第２上流側ローラ対及び第２下流側ローラ対のそれぞれから第１媒体に伝達される搬送力が第１媒体における幅方向の他端側に作用する。このため、それらの搬送力が第１媒体における幅方向の一端側から他端側に亘って均等に作用し得る。
【００１４】
したがって、本発明の画像読取装置では、幅の異なる第１媒体及び第２媒体を搬送して、それらの画像を読み取ることが可能であるとともに、第１媒体の第１搬送路における斜行を抑制できる。
【００１５】
上流側搬送部は、幅方向において第１上流側ローラ対と第２上流側ローラ対との間に位置し、第１媒体を挟みながら搬送する第３上流側ローラ対を有していることが望ましい。また、下流側搬送部は、幅方向において第１下流側ローラ対と第２下流側ローラ対との間に位置し、第１媒体を挟みながら搬送する第３下流側ローラ対を有していることが望ましい。
【００１６】
この構成によれば、第３上流側ローラ対及び第３下流側ローラ対のそれぞれから第１媒体に伝達される搬送力が第１媒体における幅方向の一端側と他端側との間に作用する。このため、この画像読取装置では、第１媒体における幅方向の一端側から他端側に亘って、搬送力が一層均等に作用し得る。その結果、この画像読取装置では、第１媒体の斜行を一層抑制できる。
【００１７】
第３上流側ローラ対が第１媒体を挟むニップ力は、第１上流側ローラ対が第１媒体を挟むニップ力及び第２上流側ローラ対が第１媒体を挟むニップ力より大きいことが望ましい。また、第３下流側ローラ対が第１媒体を挟むニップ力は、第１下流側ローラ対が第１媒体を挟むニップ力及び第２下流側ローラ対が第１媒体を挟むニップ力より大きいことが望ましい。
【００１８】
この構成によれば、第３上流側ローラ対及び第３下流側ローラ対は、幅方向の一端側と他端側との間で、第１上流側ローラ対、第１下流側ローラ対、第２上流側ローラ対及び第２下流側ローラ対よりも強く搬送力を第１媒体に伝達できる。その結果、この画像読取装置では、第１媒体の斜行を一層抑制できる。
【００１９】
第１上流側ローラ対、第２上流側ローラ対、第３上流側ローラ対、第１下流側ローラ対、第２下流側ローラ対及び第３下流側ローラ対はそれぞれ、回転駆動される駆動ローラと、駆動ローラに向けて付勢され、駆動ローラによって従動回転するピンチローラとを有していることが望ましい。そして、第１上流側ローラ対、第２上流側ローラ対及び第３上流側ローラ対の各駆動ローラは、幅方向と平行な第１駆動軸心周りに回転可能に支持されていることが望ましい。また、第１下流側ローラ対、第２下流側ローラ対及び第３下流側ローラ対の各駆動ローラは、第１駆動軸心と平行な第２駆動軸心周りに回転可能に支持されていることが望ましい。
【００２０】
この構成によれば、各駆動ローラのそれぞれの駆動軸心が異なっている場合と比較して、回転軸や軸受等の部品点数を削減できる。
【００２１】
第１上流側ローラ対、第２上流側ローラ対及び第３上流側ローラ対の各ピンチローラは、第１媒体又は第２媒体に当接していない状態では、第１駆動軸心と平行な第１従動軸心周りに回転可能に支持され、第１媒体又は第２媒体に当接することにより個別に第１駆動軸心から離間するように構成されていることが望ましい。また、第１下流側ローラ対、第２下流側ローラ対及び第３下流側ローラ対の各ピンチローラは、第１媒体又は第２媒体に当接していない状態では、第２駆動軸心と平行な第２従動軸心周りに回転可能に支持され、第１媒体又は第２媒体に当接することにより個別に第２駆動軸心から離間するように構成されていることが望ましい。
【００２２】
この構成によれば、各ピンチローラの外径を同一にできる。その結果、この画像読取装置では、ピンチローラを共通部品として、部品点数を削減できる。
【００２３】
第１上流側ローラ対が有する駆動ローラ及びピンチローラの幅方向の長さをＬ１１とし、第２上流側ローラ対が有する駆動ローラ及びピンチローラの幅方向の長さをＬ１２とし、第３上流側ローラ対が有する駆動ローラ及びピンチローラの幅方向の長さをＬ１３とする。また、第１上流側ローラ対が有するピンチローラの駆動ローラに対する付勢力をＦ１１とし、第２上流側ローラ対が有するピンチローラの駆動ローラに対する付勢力をＦ１２とし、第３上流側ローラ対が有するピンチローラの駆動ローラに対する付勢力をＦ１３とする。これらの場合、長さＬ１１と長さＬ１２とが等しく、付勢力Ｆ１１と付勢力Ｆ１２とが等しいことが望ましい。また、（付勢力Ｆ１３／長さＬ１３）は、（付勢力Ｆ１１／長さＬ１１）と（付勢力Ｆ１２／長さＬ１２）とに等しいことが望ましい。
【００２４】
この構成によれば、第１上流側ローラ対、第２上流側ローラ対及び第３上流側ローラ対の第１媒体に対する幅方向の単位長さ当たりのニップ力が均一化され得る。このため、この画像読取装置では、第１上流側ローラ対、第２上流側ローラ対及び第３上流側ローラ対の第１媒体に対する搬送速度差を確実に小さくできる。その結果、この画像読取装置では、第１媒体の斜行を確実に抑制できる。また、第１媒体にしわや傷が発生し難くなる。
【００２５】
第１下流側ローラ対が有する駆動ローラ及びピンチローラの幅方向の長さをＬ２１とし、第２下流側ローラ対が有する駆動ローラ及びピンチローラの幅方向の長さをＬ２２とし、第３下流側ローラ対が有する駆動ローラ及びピンチローラの幅方向の長さをＬ２３とする。また、第１下流側ローラ対が有するピンチローラの駆動ローラに対する付勢力をＦ２１とし、第２下流側ローラ対が有するピンチローラの駆動ローラに対する付勢力をＦ２２とし、第３下流側ローラ対が有するピンチローラの駆動ローラに対する付勢力をＦ２３とする。これらの場合、長さＬ２１と長さＬ２２とが等しく、付勢力Ｆ２１と付勢力Ｆ２２とが等しいことが望ましい。また、（付勢力Ｆ２３／長さＬ２３）は、（付勢力Ｆ２１／長さＬ２１）と（付勢力Ｆ２２／長さＬ２２）とに等しいことが望ましい。
【００２６】
この構成によれば、第１下流側ローラ対、第２下流側ローラ対及び第３下流側ローラ対の第１媒体に対する幅方向の単位長さ当たりのニップ力が均一化され得る。このため、この画像読取装置では、第１下流側ローラ対、第２下流側ローラ対及び第３下流側ローラ対の第１媒体に対する搬送速度差を確実に小さくできる。その結果、この画像読取装置では、第１媒体の斜行を確実に抑制できる。また、第１媒体にしわや傷が発生し難くなる。
【００２７】
供給部は、第１媒体を一枚ずつに分離して第１搬送路に送り出すように構成される分離ローラであることが望ましい。そして、分離ローラが第１媒体を搬送する搬送速度は、上流側搬送部及び下流側搬送部が第１媒体を搬送する搬送速度より遅くされていることが望ましい。さらに、分離ローラと上流側搬送部とが第１媒体を搬送する際、分離ローラは第１媒体に従動するように構成されていることが望ましい。
【００２８】
この構成によれば、分離ローラが第１媒体に従動する際、第１媒体は、幅方向の一端側と他端側との間に位置する分離ローラから搬送抵抗を受けながら、幅方向の一端側に位置する第１上流側ローラ対と、幅方向の他端側に位置する第２上流側ローラ対とに搬送される。その結果、この画像読取装置では、第１媒体の斜行を一層確実に抑制できる。
【図面の簡単な説明】
【００２９】
【図１】本発明の画像読取装置を具体化した第１実施例の画像読取装置１の主に前方を示す斜視図である。
【図２】上記画像読取装置１の主に後方を示す斜視図である。
【図３】給送トレイ３６が開位置にある状態の上記画像読取装置１の主に前方を示す斜視図である。
【図４】上記画像読取装置１のブロック図である。
【図５】給送トレイ３６が開位置にある状態の上記画像読取装置１の上面図である。
【図６】図５のＡ−Ａ断面を示す模式断面図である。
【図７】図５のＢ−Ｂ断面であって、給送トレイ３６が閉位置にある状態を示す模式断面図である。
【図８】図５のＣ−Ｃ断面において、上流側搬送部１１０を抜き出して示す模式図である。
【図９】図５のＤ−Ｄ断面において、下流側搬送部１２０を抜き出して示す模式図である。
【図１０】第２実施例の画像読取装置の主に前方を示す斜視図である。
【図１１】第２実施例の画像読取装置の主に後方を示す斜視図である。
【図１２】第３実施例の画像読取装置の主に後方を示す斜視図である。
【発明を実施するための形態】
【００３０】
以下、本発明を具体化した第１実施例、第２実施例及び第３実施例を、図面を参照しつつ説明する。
【００３１】
（第１実施例）
図１に示すように、第１実施例の画像読取装置１は、本発明の画像読取装置の具体的態様の一例である。図１では、第１排出口１２側を装置の前側と規定し、第１排出口１２に対向した場合に左手に来る側を左側と規定して、前後、左右及び上下の各方向を表示する。そして、図２以降に示す各方向は、全て図１に示す各方向に対応させて表示する。以下、図１等に基づいて、画像読取装置１が備える各構成要素について説明する。
【００３２】
＜構成＞
図１〜図７に示すように、画像読取装置１は、筐体３０と、給送トレイ３６と、制御基板５４と、搬送部４０と、読取部５５と、タッチパネル７０と、開閉位置センサ６０とを備えている。
【００３３】
図３、図６及び図７に示すように、筐体３０は、第１筐体３１と、第２筐体３２と、一対のサイドフレーム３３Ｌ、３３Ｒとが組み合わされてなる。
【００３４】
上側に位置する第１筐体３１と、下側に位置する第２筐体３２とは、上下方向の間隔を有して互いに対向している。左側のサイドフレーム３３Ｌ及び右側のサイドフレーム３３Ｒは、第１筐体３１及び第２筐体３２を左右方向の外側から挟んでいる。
【００３５】
第１筐体３１は、上面３１Ａ、前面３１Ｂ及び上側案内面３１Ｇ等を有する。上面３１Ａは、上方を向く平面である。上面３１Ａは、後方に向かって上り傾斜している。上面３１Ａの中央には、タッチパネル７０が設けられている。前面３１Ｂは、前方を向く平面である。前面３１Ｂは、上面３１Ａの前端縁に連続し、下方に向かって垂直に延びている。上側案内面３１Ｇは、下方を向く屈曲平面である。上側案内面３１Ｇは、前面３１Ｂの下端縁３１ＢＡに連続し、後方に向かって略水平に延びている。そして、上側案内面３１Ｇは、第１筐体３１における前後方向の略中央において上向きに屈曲し、後方に向かって上り傾斜している。
【００３６】
第２筐体３２は、前面３２Ｂ、下側案内面３２Ｇ及び後面３２Ｃを有する。前面３２Ｂは、前方を向く平面である。前面３２Ｂの上端縁３２ＢＡは、前面３１Ｂの下端縁３１ＢＡに対して、隙間を有して下側に離間している。前面３２Ｂは、下方に向かって垂直に延びている。下側案内面３２Ｇは、上方を向く屈曲平面である。下側案内面３２Ｇは、前面３２Ｂの上端縁３２ＢＡに連続し、後方に向かって水平に延びている。そして、下側案内面３２Ｇは、第２筐体３２における前後方向の中央において上向きに屈曲し、後方に向かって上り傾斜している。後面３２Ｃは、後方を向く平面である。後面３２Ｃは、下方に向かって垂直に延びている。
【００３７】
図５及び図７に示すように、第２筐体３２は、下側カード案内面３２Ｉ及び上側カード案内面３２Ｈを有している。下側カード案内面３２Ｉは、下側案内面３２Ｇの水平部分における右端部に連続し、後方に向かって水平に延びて後面３２Ｃまで達している。上側カード案内面３２Ｈは、下側カード案内面３２Ｉに対して上方に離間している。上側カード案内面３２Ｈは、下側カード案内面３２Ｉと平行に、後方に向かって水平に延びて後面３２Ｃまで達している。図７に示すように、上側カード案内面３２Ｈの上下方向の高さは、上側案内面３１Ｇの水平部分の上下方向の高さとほぼ同じである。
【００３８】
図１〜図３及び図５〜図７に示すように、筐体３０には、第１導入口１１と、第１排出口１２と、第１搬送路１０と、第２導入口２１と、第２排出口２２と、第２搬送路２０とが形成されている。
【００３９】
図３、図６及び図７に示すように、第１導入口１１に、シートＳＨが導入される。シートＳＨは、例えば、用紙やＯＨＰシート等である。シートＳＨは、本発明の「第１媒体」の一例である。第１導入口１１は、第１筐体３１と第２筐体３２との間に形成されている。より詳しくは、第１導入口１１は、上側案内面３１Ｇの後端縁３１ＧＡと、下側案内面３２Ｇの後端縁３２ＧＡとの隙間である。第１導入口１１は、左側のサイドフレーム３３Ｌの近傍から右側のサイドフレーム３３Ｒの近傍まで、左右方向に延びている。第１導入口１１の左右方向の長さは、シートＳＨの幅よりも長くされている。
【００４０】
第１排出口１２から、シートＳＨが排出される。第１排出口１２は、第１筐体３１と第２筐体３２との間に形成されている。より詳しくは、第１排出口１２は、前面３１Ｂの下端縁３１ＢＡと、前面３２Ｂの上端縁３２ＢＡとの隙間である。第１排出口１２は、左側のサイドフレーム３３Ｌの近傍から右側のサイドフレーム３３Ｒの近傍まで、左右方向に延びている。第１排出口１２の左右方向の長さは、第１導入口１１と同様、シートＳＨの幅よりも長くされている。
【００４１】
図６及び図７に示すように、第１搬送路１０は、第１導入口１１から第１排出口１２へシートＳＨを案内する。第１搬送路１０は、第１筐体３１と第２筐体３２との間に形成されている。より詳しくは、第１搬送路１０は、上側案内面３１Ｇと下側案内面３２Ｇとに上下方向から挟まれてなる通路である。本開示において、例えば、「上側案内面３１Ｇ又は下側案内面３２Ｇに案内される」と記載した場合、必ずしもシートＳＨが上側案内面３１Ｇ又は下側案内面３２Ｇに常に当接しながら搬送することを意味しない。従って、「案内」されるとは、例えば、シートＳＨが下側案内面３２Ｇに時折当接して搬送されることも含む記載である。第１搬送路１０は、第１導入口１１から前方に向かって下り傾斜している。そして、第１搬送路１０は、筐体３０における前後方向の中央において前向きに屈曲し、第１排出口１２まで水平に延びている。
【００４２】
本実施例において、第１搬送路１０において案内されるシートＳＨの幅方向は、左右方向である。また、本実施例において、シートＳＨの幅方向の一端側は右端側であり、シートＳＨの幅方向の他端側は左端側である。
【００４３】
図２、図５及び図７に示すように、第２導入口２１に、シートＳＨよりも幅狭のカードＣＡが導入される。カードＣＡは、シートＳＨより小面積の枚葉である。カードＣＡは、例えば、名刺、キャッシュカード、会員証又は免許証等である。カードＣＡが名刺等の紙製枚葉であれば、その肉厚はシートＳＨと同程度の厚さである。また、カードＣＡがキャッシュカード等の樹脂製枚葉であれば、その肉厚はシートＳＨより厚く、剛性が高い。カードＣＡは、本発明の「第２媒体」の一例である。第２導入口２１は、第２筐体３２に形成されている。より詳しくは、第２導入口２１は、後面３２Ｃにおける上下方向の中間部、かつ右側のサイドフレーム３３Ｒ側において前後方向に開口している。第２導入口２１は、左右方向に延びている。第２導入口２１の左右方向の長さは、カードＣＡの幅よりも長くされている。第２導入口２１の上下方向の高さは、第１搬送路１０の水平部分及び第１排出口１２の上下方向の高さとほぼ同じである。
【００４４】
図１、図３、図５及び図７に示すように、第２排出口２２から、カードＣＡが排出される。第２排出口２２は、第１筐体３１と第２筐体３２との間に形成されている。より詳しくは、第２排出口２２は、前面３１Ｂの下端縁３１ＢＡにおける右端部３１ＢＢと、前面３２Ｂの上端縁３２ＢＡにおける右端部３２ＢＢとの隙間である。第２排出口２２は、右側のサイドフレーム３３Ｒの近傍から左方に向かって細長く延びている。第２排出口２２の左右方向の長さも、第２導入口２１と同様、カードＣＡの幅よりも長くされている。第２排出口２２は、第１排出口１２の右端側の一部と共用されている。
【００４５】
すなわち、図１に示すように、第１排出口１２は、第２排出口２２の下部領域２２Ａを含む。従って、シートＳＨは、第２排出口２２の下部領域２２Ａを通過して、第２排出口２２の下部領域２２Ａから排出され得る。カードＣＡは、第２排出口２２の下部領域２２Ａから排出され、又は第２排出口２２の下部領域２２Ａ及び第２排出口２２の上部領域２２Ｂから排出され得る。このように、本開示において、「第１」排出口、及び「第２」排出口との記載は、第１排出口が第２排出口を含む場合をも含む記載である。「第１」搬送路、及び「第２」搬送路との記載に関しても、同様に第１搬送路が第２搬送路を含む場合をも含む記載である。「第１」導入口、及び「第２」導入口との記載に関しても、同様に第１導入口が第２導入口を含む場合をも含む記載である。
【００４６】
第２排出口２２の上下方向の開口幅Ｗ２は、カードＣＡの厚みの範囲に対応して、第１排出口１２の上下方向の開口幅Ｗ１よりも大きくされている。
【００４７】
図５及び図７に示すように、第２搬送路２０は、第１搬送路１０の右側、すなわち、第１搬送路１０におけるシートＳＨの幅方向の一端側において、第２導入口２１から第２排出口２２へカードＣＡを案内する。搬送路２０は、第２筐体３２に形成される独立パス２０Ａと、第１筐体３１と第２筐体３２との間に形成される共通パス２０Ｂとを含む。より詳しくは、第２搬送路２０は、上側カード案内面３２Ｈと、下側カード案内面３２Ｉとに上下方向から挟まれてなる独立パス２０Ａと、上側案内面３１Ｇの水平部分と、下側案内面３２Ｇの水平部分とに上下方向から挟まれてなる共通パス２０Ｂとを含む通路である。第２搬送路２０は、後方の第２導入口２１から前方の第２排出口２２まで水平に延びている。共通パス２０Ｂは、第１搬送路１０の右側の一部であり、シートＳＨは、共通パス２０Ｂを通過し得る。つまり、第１搬送路１０の一部は、第２搬送路２０の一部を兼ねている。
【００４８】
図３及び図５に示すように、給送トレイ３６の左右の角部には、一対のヒンジ部３６Ｌ、３６Ｒが一体に形成されている。給送トレイ３６の中央には、上方に開口する操作開口３９が形成されている。給送トレイ３６は、両ヒンジ部３６Ｌ、３６Ｒを介して、開閉軸心Ｘ３６周りに回動可能に両サイドフレーム３３Ｌ、３３Ｒに支持されている。開閉軸心Ｘ３６は、サイドフレーム３３Ｌ、３３Ｒの後側上端部に位置して左右方向に延びている。
【００４９】
図１、図２及び図７に示すように、給送トレイ３６は、閉じた状態で第１筐体３１の上面３１Ａを上方から覆っている。図１、図２及び図７に示す給送トレイ３６の位置を「閉位置」とする。給送トレイ３６は、閉位置にある場合、開閉軸心Ｘ３６から前方に向かって下り傾斜するように位置している。図１に示すように、操作開口３９は、給送トレイ３６が閉位置にある状態でタッチパネル７０を外部に露出させている。
【００５０】
そして、図３、図５及び図６に示すように、給送トレイ３６は、図１等に示す状態から開閉軸心Ｘ３６周りに後方に回動して開かれることにより、筐体３０の後ろ側で後方に向かって上り傾斜する位置に変位する。図３、図５及び図６に示す給送トレイ３６の位置を「開位置」とする。
【００５１】
図３及び図６に示すように、給送トレイ３６は、開位置では下側案内面３２Ｇの傾斜部分に連続するように傾斜し、第１導入口１１を開放している。給送トレイ３６には、１枚又は複数枚のシートＳＨが載置される。図示は省略するが、給送トレイ３６は、左右一対のガイド部を有している。ガイド部は、給送トレイ３６に載置されるシートＳＨを左右方向の外側から挟んで左右方向の位置決めを行う。給送トレイ３６に載置されたシートＳＨは、第１導入口１１に導入され、第１搬送路１０において第１排出口１２へ案内される。
【００５２】
図４、図６及び図７に示すように、電力が図示しない家庭用コンセントからＡＣアダプタ５９及び制御基板５４を経由して、搬送部４０、読取部５５、タッチパネル７０、開閉位置センサ６０等へ供給される。
【００５３】
図４に示すように、制御基板５４は、ＣＰＵ、ＲＯＭ及びＲＡＭ等を備えている。制御基板５４は、搬送部４０、読取部５５、タッチパネル７０、開閉位置センサ６０等に電気的に接続されて、それらを制御する。
【００５４】
図５〜図７に示すように、搬送部４０は、分離ローラ４１、分離パッド４９、上流側搬送部１１０及び下流側搬送部１２０を備えている。分離ローラ４１は、本発明の「供給部」の一例である。読取部５５は、画像読取センサ５５Ａ、５５Ｂを有している。これらは、第１搬送路１０において、第１導入口１１から第１排出口１２に向かって、分離ローラ４１及び分離パッド４９、上流側搬送部１１０、画像読取センサ５５Ａ、５５Ｂ、下流側搬送部１２０という順番で配設されている。以下、この順番で、これらの構成を説明する。第１搬送路１０における第１導入口１１側は、本発明の「第１搬送路の上流側」の一例である。第１搬送路１０における第１排出口１２側は、本発明の「第１搬送路の下流側」の一例である。
【００５５】
図６に示すように、分離ローラ４１は、第２筐体３２内において、回転軸４１Ｓに回転可能に支持されている。分離ローラ４１の上部は、下側案内面３２Ｇの傾斜部分から第１搬送路１０に露出している。図５に示すように、分離ローラ４１は、第１搬送路１０における左右方向の中間に位置している。分離ローラ４１は、制御基板５４が図４に示す駆動モータ４０Ｍを制御することにより駆動モータ４０Ｍに駆動される。そして、分離ローラ４１は、給送トレイ３６に載置されたシートＳＨに当接しつつ回転することにより、そのシートＳＨを第１搬送路１０に送り出す。
【００５６】
図６に示すように、分離ローラ４１と回転軸４１Ｓとの間には、ワンウェイクラッチ４１Ｃが設けられている。ワンウェイクラッチ４１Ｃは、分離ローラ４１が回転軸４１Ｓに対して、図６の紙面に向かって時計方向に相対回転することを規制する一方、図６の紙面に向かって反時計方向に相対回転することを許容する。ワンウェイクラッチ４１Ｃが分離ローラ４１の回転軸４１Ｓに対する時計方向の相対回転を規制する状態、すなわち、分離ローラ４１が回転軸４１Ｓと一体で反時計方向に回転する状態において、分離ローラ４１がシートＳＨを搬送する搬送速度をＶ１とする。
【００５７】
分離パッド４９は、第１筐体３１に組み付けられている。分離パッド４９は、上側案内面３１Ｇにおいて第１搬送路１０に露出している。分離パッド４９は、ゴムやエラストマー等の摩擦部材からなる板状体である。分離パッド４９は、図示しない付勢部材に付勢されて、分離ローラ４１に押し付けられている。これにより、分離ローラ４１と分離パッド４９とは、第１搬送路１０において搬送されるシートＳＨを挟んで一枚ずつ分離し得る。
【００５８】
図５〜図７に示すように、上流側搬送部１１０は、筐体３０内で分離ローラ４１より第１搬送路１０の下流側、すなわち第１排出口１２側、かつ画像読取センサ５５Ａ、５５Ｂより第１搬送路１０の上流側、すなわち第１導入口１１側に設けられている。
【００５９】
図５及び図８に示すように、上流側搬送部１１０は、第１上流側ローラ対１１１と、第２上流側ローラ対１１２と、第３上流側ローラ対１１３とを有している。第１上流側ローラ対１１１は、シートＳＨ及びカードＣＡを挟みながら搬送する。第２上流側ローラ対１１２は、シートＳＨを挟みながら搬送する。第３上流側ローラ対１１３は、シートＳＨを挟みながら搬送する。
【００６０】
より詳しくは、図５に示すように、第１上流側ローラ対１１１は、左右方向において、分離ローラ４１に対して右側に位置している。図８に示すように、第１上流側ローラ対１１１は、駆動ローラ１１１Ａとピンチローラ１１１Ｐとを有している。
【００６１】
図５に示すように、第２上流側ローラ対１１２は、左右方向において、分離ローラ４１に対して左側に位置している。図８に示すように、第２上流側ローラ対１１２は、駆動ローラ１１２Ａとピンチローラ１１２Ｐとを有している。
【００６２】
図５に示すように、第３上流側ローラ対１１３は、左右方向において第１上流側ローラ対１１１と第２上流側ローラ対１１２との間に位置している。第３上流側ローラ対１１３は、２組のローラ対からなっている。すなわち、図８に示すように、第３上流側ローラ対１１３は、駆動ローラ１１３Ａとピンチローラ１１３Ｐとを有している。また、第３上流側ローラ対１１３は、駆動ローラ１１３Ｂとピンチローラ１１３Ｑとを有している。駆動ローラ１１３Ａ及びピンチローラ１１３Ｐは、左右方向において、分離ローラ４１と、第１上流側ローラ対１１１との間に位置している。駆動ローラ１１３Ｂ及びピンチローラ１１３Ｑは、左右方向において、分離ローラ４１と、第２上流側ローラ対１１２との間に位置している。
【００６３】
図６及び図７に示すように、各駆動ローラ１１１Ａ、１１２Ａ、１１３Ａ、１１３Ｂの上部は、下側案内面３２Ｇの傾斜部分と水平部分との接続部から第１搬送路１０に露出している。各ピンチローラ１１１Ｐ、１１２Ｐ、１１３Ｐ、１１３Ｑの下部は、上側案内面３１Ｇの傾斜部分と水平部分との接続部から第１搬送路１０に露出している。
【００６４】
図８に示すように、各駆動ローラ１１１Ａ、１１２Ａ、１１３Ａ、１１３Ｂは、第２筐体３２内において、１本の第１駆動軸１１０Ｓに一体回転可能に固定されている。第１駆動軸１１０Ｓは、左右方向と平行な第１駆動軸心Ｘ１Ａを構成している。
【００６５】
ピンチローラ１１１Ｐは、第１筐体３１内において、第１従動軸１１１Ｓに一体回転可能に固定されている。ピンチローラ１１２Ｐは、第１筐体３１内において、第１従動軸１１２Ｓに一体回転可能に固定されている。ピンチローラ１１３Ｐ、１１３Ｑは、第１筐体３１内において、第１従動軸１１３Ｓに一体回転可能に固定されている。
【００６６】
ピンチローラ１１１Ｐは、第１従動軸１１１Ｓに連結された付勢バネ１１１Ｆにより、駆動ローラ１１１Ａに向けて付勢されている。ピンチローラ１１２Ｐは、第１従動軸１１２Ｓに連結された付勢バネ１１２Ｆにより、駆動ローラ１１２Ａに向けて付勢されている。ピンチローラ１１３Ｐ及びピンチローラ１１３Ｑは、第１従動軸１１３Ｓに連結された付勢バネ１１３Ｆにより、各々、駆動ローラ１１３Ａ及び駆動ローラ１１３Ｂに向けて付勢されている。
【００６７】
ピンチローラ１１１Ｐ、１１２Ｐ、１１３Ｐ、１１３Ｑはそれぞれ、シートＳＨ又はカードＣＡに当接していない状態では、駆動ローラ１１１Ａ、１１２Ａ、１１３Ａ、１１３Ｂのそれぞれに当接している。この状態では、第１従動軸１１１Ｓ、第１従動軸１１２Ｓ及び第１従動軸１１３Ｓは、第１駆動軸心Ｘ１Ａと平行な第１従動軸心Ｘ１Ｐを構成している。つまり、各ピンチローラ１１１Ｐ、１１２Ｐ、１１３Ｐ、１１３Ｑは、第１筐体３１内において、シートＳＨ又はカードＣＡに当接していない状態では、第１従動軸心Ｘ１Ｐ周りに回転可能に支持されている。
【００６８】
ピンチローラ１１１Ｐは、シートＳＨ又はカードＣＡに当接することにより、付勢バネ１１１Ｆが圧縮され、第１駆動軸心Ｘ１Ａから離間する。ピンチローラ１１２Ｐは、シートＳＨに当接することにより、付勢バネ１１２Ｆが圧縮され、第１駆動軸心Ｘ１Ａから離間する。ピンチローラ１１３Ｐ、１１３Ｑは、シートＳＨに当接することにより、付勢バネ１１３Ｆが圧縮され、第１駆動軸心Ｘ１Ａから離間する。
【００６９】
ピンチローラ１１１Ｐの駆動ローラ１１１Ａに対する付勢力、すなわち付勢バネ１１１Ｆの付勢力をＦ１１とする。付勢力Ｆ１１は、第１上流側ローラ対１１１がシートＳＨ又はカードＣＡを挟むニップ力の一例である。なお、付勢バネ１１１Ｆの付勢力Ｆ１１は、付勢バネ１１１Ｆのバネ定数、及び付勢バネ１１１Ｆの一端が当接する第１従動軸１１１Ｓと付勢バネ１１１Ｆの他端が当接する第１筐体３１の当接部３１ＣＡとの間の距離等により決定される。ピンチローラ１１２Ｐの駆動ローラ１１２Ａに対する付勢力、すなわち付勢バネ１１２Ｆの付勢力をＦ１２とする。付勢力Ｆ１２は、第２上流側ローラ対１１２がシートＳＨを挟むニップ力の一例である。なお、付勢バネ１１２Ｆの付勢力Ｆ１２は、付勢バネ１１２Ｆのバネ定数、及び付勢バネ１１２Ｆの一端が当接する第１従動軸１１２Ｓと付勢バネ１１２Ｆの他端が当接する第１筐体３１の当接部３１ＣＢとの間の距離等により決定される。ピンチローラ１１３Ｐ、１１３Ｑの駆動ローラ１１３Ａ、１１３Ｂに対する付勢力、すなわち付勢バネ１１３Ｆの付勢力をＦ１３とする。付勢力Ｆ１３は、第３上流側ローラ対１１３がシートＳＨを挟むニップ力の一例である。なお、付勢バネ１１３Ｆの付勢力Ｆ１３は、付勢バネ１１３Ｆのバネ定数、及び付勢バネ１１３Ｆの一端が当接する第１従動軸１１３Ｓと付勢バネ１１３Ｆの他端が当接する第１筐体３１の当接部３１ＣＣとの間の距離等により決定される。
【００７０】
駆動ローラ１１１Ａ及びピンチローラ１１１Ｐの左右方向の長さをＬ１１とする。駆動ローラ１１２Ａ及びピンチローラ１１２Ｐの左右方向の長さをＬ１２とする。駆動ローラ１１３Ａ、１１３Ｂ及びピンチローラ１１３Ｐ、１１３Ｑの左右方向の長さをＬ１３とする。長さＬ１３は、駆動ローラ１１３Ａ及びピンチローラ１１３Ｐの左右方向の長さＬ１３Ａと、駆動ローラ１１３Ｂ及びピンチローラ１１３Ｑの左右方向の長さＬ１３Ｂとの合計値である。
【００７１】
本実施例では、第３上流側ローラ対１１３がシートＳＨを挟むニップ力、すなわち付勢力Ｆ１３は、第１上流側ローラ対１１１がシートＳＨを挟むニップ力、すなわち付勢力Ｆ１１より大きい。また、付勢力Ｆ１３は、第２上流側ローラ対１１２がシートＳＨを挟むニップ力、すなわち付勢力Ｆ１２より大きい。
【００７２】
また、本実施例では、長さＬ１１と長さＬ１２とが等しく、付勢力Ｆ１１と付勢力Ｆ１２とが等しい。また、（付勢力Ｆ１３／長さＬ１３）は、（付勢力Ｆ１１／長さＬ１１）と（付勢力Ｆ１２／長さＬ１２）とに等しい。ここで、（付勢力／長さ）は、単位長さ当たりのニップ力を意味する。
【００７３】
各駆動ローラ１１１Ａ、１１２Ａ、１１３Ａ、１１３Ｂは、制御基板５４が駆動モータ４０Ｍを制御することにより駆動モータ４０Ｍに駆動されて、第１駆動軸心Ｘ１Ａ周りに回転する。そうすると、駆動ローラ１１１Ａに向けて付勢されるピンチローラ１１１Ｐは、駆動ローラ１１１Ａによって従動回転する。駆動ローラ１１２Ａに向けて付勢されるピンチローラ１１２Ｐは、駆動ローラ１１２Ａによって従動回転する。駆動ローラ１１３Ａに向けて付勢されるピンチローラ１１３Ｐは、駆動ローラ１１３Ａによって従動回転する。駆動ローラ１１３Ｂに向けて付勢されるピンチローラ１１３Ｑは、駆動ローラ１１３Ｂによって従動回転する。これにより、シートＳＨが搬送される場合には、各駆動ローラ１１１Ａ、１１２Ａ、１１３Ａ、１１３Ｂと各ピンチローラ１１１Ｐ、１１２Ｐ、１１３Ｐ、１１３Ｑとは、第１搬送路１０において搬送されるシートＳＨを挟んで回転し、シートＳＨを第１排出口１２へ搬送する。
【００７４】
第１搬送路１０の一部が第２搬送路２０の一部を兼ねていることにより、図５及び図７に示すように、右側の駆動ローラ１１１Ａ及び右側のピンチローラ１１１Ｐは、第２搬送路２０にも露出している。これにより、カードＣＡが搬送される場合には、駆動ローラ１１１Ａとピンチローラ１１１Ｐとは、第２導入口２１から導入されるカードＣＡを第２搬送路２０において挟んで回転し、カードＣＡを第２排出口２２へ搬送する。
【００７５】
図５〜図７に示すように、画像読取センサ５５Ａは、第２筐体３２に組み付けられている。より具体的には、画像読取センサ５５Ａは、Ｃｏｎｔａｃｔ  Ｉｍａｇｅ  Ｓｅｎｓｏｒ（以後、「ＣＩＳ」と記す）、ＣＩＳホルダ、及びコンタクトガラスなどを備える。画像読取センサ５５Ａの上面は、下側案内面３２Ｇの水平部分において第１搬送路１０に露出している。画像読取センサ５５Ｂは、第１筐体３１に組み付けられている。より具体的には、画像読取センサ５５Ｂは、ＣＩＳ、ＣＩＳホルダ、及びコンタクトガラスなどを備える。画像読取センサ５５Ｂの下面は、上側案内面３１Ｇの水平部分において第１搬送路１０に露出している。すなわち、画像読取センサ５５Ａ、５５Ｂは、第１搬送路１０を上下方向から挟むように対向している。また、第１搬送路１０の一部が第２搬送路２０の一部を兼ねていることにより、図５及び図７に示すように、画像読取センサ５５Ａ、５５Ｂは、第２搬送路２０を上下方向から挟むように対向している。上記構成により、画像読取センサ５５Ａ、５５Ｂは、第１搬送路１０において搬送されるシートＳＨの両面の画像を読み取るとともに、第２搬送路２０において搬送されるカードＣＡの両面の画像を読み取る。すなわち、画像読取センサ５５Ａ、５５Ｂは、シートＳＨが搬送される場合には、シートＳＨの両面の画像を読み取り、カードＣＡが搬送される場合には、カードＣＡの両面の画像を読み取る。なお、本開示において、「対向」とは必ずしも真対向を意味せず、例えば、シートＳＨの搬送方向において、画像読取センサ５５Ａの一部が画像読取センサ５５Ｂに対してずれていてもよい。
【００７６】
図５〜図７に示すように、下流側搬送部１２０は、筐体３０内で画像読取センサ５５Ａ、５５Ｂより第１搬送路１０の下流側、すなわち第１排出口１２側に設けられている。
【００７７】
図５及び図９に示すように、下流側搬送部１２０は、第１下流側ローラ対１２１と、第２下流側ローラ対１２２と、第３下流側ローラ対１２３とを有している。第１下流側ローラ対１２１は、シートＳＨ及びカードＣＡを挟みながら搬送する。第２下流側ローラ対１２２は、シートＳＨを挟みながら搬送する。第３下流側ローラ対１２３は、シートＳＨを挟みながら搬送する。
【００７８】
より詳しくは、図５に示すように、第１下流側ローラ対１２１は、左右方向において、分離ローラ４１に対して右側に位置している。図９に示すように、第１下流側ローラ対１２１は、駆動ローラ１２１Ａとピンチローラ１２１Ｐとを有している。
【００７９】
図５に示すように、第２下流側ローラ対１２２は、左右方向において、分離ローラ４１に対して左側に位置している。図９に示すように、第２下流側ローラ対１２２は、駆動ローラ１２２Ａとピンチローラ１２２Ｐとを有している。
【００８０】
図５に示すように、第３下流側ローラ対１２３は、左右方向において第１下流側ローラ対１２１と第２下流側ローラ対１２２との間に位置している。第３下流側ローラ対１２３は、２組のローラ対からなっている。すなわち、図９に示すように、第３下流側ローラ対１２３は、駆動ローラ１２３Ａとピンチローラ１２３Ｐとを有している。また、第３下流側ローラ対１２３は、駆動ローラ１２３Ｂとピンチローラ１２３Ｑとを有している。駆動ローラ１２３Ａ及びピンチローラ１２３Ｐは、左右方向において、分離ローラ４１と、第１下流側ローラ対１２１との間に位置している。駆動ローラ１２３Ｂ及びピンチローラ１２３Ｑは、左右方向において、分離ローラ４１と、第２下流側ローラ対１２２との間に位置している。
【００８１】
図６及び図７に示すように、各駆動ローラ１２１Ａ、１２２Ａ、１２３Ａ、１２３Ｂの上部は、下側案内面３２Ｇの水平部分から第１搬送路１０に露出している。各ピンチローラ１２１Ｐ、１２２Ｐ、１２３Ｐ、１２３Ｑの下部は、上側案内面３１Ｇの水平部分から第１搬送路１０に露出している。
【００８２】
図９に示すように、各駆動ローラ１２１Ａ、１２２Ａ、１２３Ａ、１２３Ｂは、第２筐体３２内において、１本の第２駆動軸１２０Ｓに一体回転可能に固定されている。第２駆動軸１２０Ｓは、第１駆動軸心Ｘ１Ａと平行な第２駆動軸心Ｘ２Ａを構成している。
【００８３】
ピンチローラ１２１Ｐは、第１筐体３１内において、第２従動軸１２１Ｓに一体回転可能に固定されている。ピンチローラ１２２Ｐは、第１筐体３１内において、第２従動軸１２２Ｓに一体回転可能に固定されている。ピンチローラ１２３Ｐ、１２３Ｑは、第１筐体３１内において、第２従動軸１２３Ｓに一体回転可能に固定されている。
【００８４】
ピンチローラ１２１Ｐは、第２従動軸１２１Ｓに連結された付勢バネ１２１Ｆにより、駆動ローラ１２１Ａに向けて付勢されている。ピンチローラ１２２Ｐは、第２従動軸１２２Ｓに連結された付勢バネ１２２Ｆにより、駆動ローラ１２２Ａに向けて付勢されている。ピンチローラ１２３Ｐ及びピンチローラ１２３Ｑは、第２従動軸１２３Ｓに連結された付勢バネ１２３Ｆにより、各々、駆動ローラ１２３Ａ及び駆動ローラ１２３Ｂに向けて付勢されている。
【００８５】
ピンチローラ１２１Ｐ、１２２Ｐ、１２３Ｐ、１２３Ｑはそれぞれ、シートＳＨ又はカードＣＡに当接していない状態では、駆動ローラ１２１Ａ、１２２Ａ、１２３Ａ、１２３Ｂのそれぞれに当接している。この状態では、第２従動軸１２１Ｓ、第２従動軸１２２Ｓ及び第２従動軸１２３Ｓは、第２駆動軸心Ｘ２Ａと平行な第２従動軸心Ｘ２Ｐを構成している。つまり、各ピンチローラ１２１Ｐ、１２２Ｐ、１２３Ｐ、１２３Ｑは、第１筐体３１内において、シートＳＨ又はカードＣＡに当接していない状態では、第２従動軸心Ｘ２Ｐ周りに回転可能に支持されている。
【００８６】
ピンチローラ１２１Ｐは、シートＳＨ又はカードＣＡに当接することにより、付勢バネ１２１Ｆが圧縮され、第２駆動軸心Ｘ２Ａから離間する。ピンチローラ１２２Ｐは、シートＳＨに当接することにより、付勢バネ１２２Ｆが圧縮され、第２駆動軸心Ｘ２Ａから離間する。ピンチローラ１２３Ｐ、１２３Ｑは、シートＳＨに当接することにより、付勢バネ１２３Ｆが圧縮され、第２駆動軸心Ｘ２Ａから離間する。
【００８７】
ピンチローラ１２１Ｐの駆動ローラ１２１Ａに対する付勢力、すなわち付勢バネ１２１Ｆの付勢力をＦ２１とする。付勢力Ｆ２１は、第１下流側ローラ対１２１がシートＳＨ又はカードＣＡを挟むニップ力の一例である。なお、付勢バネ１２１Ｆの付勢力Ｆ２１は、付勢バネ１２１Ｆのバネ定数、及び付勢バネ１２１Ｆの一端が当接する第２従動軸１２１Ｓと付勢バネ１２１Ｆの他端が当接する第１筐体３１の当接部３１ＤＡとの間の距離等により決定される。ピンチローラ１２２Ｐの駆動ローラ１２２Ａに対する付勢力、すなわち付勢バネ１２２Ｆの付勢力をＦ２２とする。付勢力Ｆ２２は、第２下流側ローラ対１２２がシートＳＨを挟むニップ力の一例である。なお、付勢バネ１２２Ｆの付勢力Ｆ２２は、付勢バネ１２２Ｆのバネ定数、及び付勢バネ１２２Ｆの一端が当接する第２従動軸１２２Ｓと付勢バネ１２２Ｆの他端が当接する第１筐体３１の当接部３１ＤＢとの間の距離等により決定される。ピンチローラ１２３Ｐ、１２３Ｑの駆動ローラ１２３Ａ、１２３Ｂに対する付勢力、すなわち付勢バネ１２３Ｆの付勢力をＦ２３とする。付勢力Ｆ２３は、第３下流側ローラ対１２３がシートＳＨを挟むニップ力の一例である。なお、付勢バネ１２３Ｆの付勢力Ｆ２３は、付勢バネ１２３Ｆのバネ定数、及び付勢バネ１２３Ｆの一端が当接する第２従動軸１２３Ｓと付勢バネ１２３Ｆの他端が当接する第１筐体３１の当接部３１ＤＣとの間の距離等により決定される。
【００８８】
駆動ローラ１２１Ａ及びピンチローラ１２１Ｐの左右方向の長さをＬ２１とする。駆動ローラ１２２Ａ及びピンチローラ１２２Ｐの左右方向の長さをＬ２２とする。駆動ローラ１２３Ａ、１２３Ｂ及びピンチローラ１２３Ｐ、１２３Ｑの左右方向の長さをＬ２３とする。長さＬ２３は、駆動ローラ１２３Ａ及びピンチローラ１２３Ｐの左右方向の長さＬ２３Ａと、駆動ローラ１２３Ｂ及びピンチローラ１２３Ｑの左右方向の長さＬ２３Ｂとの合計値である。
【００８９】
本実施例では、第３下流側ローラ対１２３がシートＳＨを挟むニップ力、すなわち付勢力Ｆ２３は、第１下流側ローラ対１２１がシートＳＨを挟むニップ力、すなわち付勢力Ｆ２１より大きい。また、付勢力Ｆ２３は、第２下流側ローラ対１２２がシートＳＨを挟むニップ力、すなわち付勢力Ｆ２２より大きい。
【００９０】
また、本実施例では、長さＬ２１と長さＬ２２とが等しく、付勢力Ｆ２１と付勢力Ｆ２２とが等しい。また、（付勢力Ｆ２３／長さＬ２３）は、（付勢力Ｆ２１／長さＬ２１）と（付勢力Ｆ２２／長さＬ２２）とに等しい。
【００９１】
各駆動ローラ１２１Ａ、１２２Ａ、１２３Ａ、１２３Ｂは、制御基板５４が駆動モータ４０Ｍを制御することにより駆動モータ４０Ｍに駆動されて、第２駆動軸心Ｘ２Ａ周りに回転する。そうすると、駆動ローラ１２１Ａに向けて付勢されるピンチローラ１２１Ｐは、駆動ローラ１２１Ａによって従動回転する。駆動ローラ１２２Ａに向けて付勢されるピンチローラ１２２Ｐは、駆動ローラ１２２Ａによって従動回転する。駆動ローラ１２３Ａに向けて付勢されるピンチローラ１１３Ｐは、駆動ローラ１２３Ａによって従動回転する。駆動ローラ１２３Ｂに向けて付勢されるピンチローラ１２３Ｑは、駆動ローラ１２３Ｂによって従動回転する。これにより、シートＳＨが搬送される場合には、各駆動ローラ１２１Ａ、１２２Ａ、１２３Ａ、１２３Ｂと各ピンチローラ１２１Ｐ、１２２Ｐ、１２３Ｐ、１２３Ｑとは、第１搬送路１０において搬送されるシートＳＨを挟んで回転し、シートＳＨを第１排出口１２から筐体３０の外部に排出する。
【００９２】
第１搬送路１０の一部が第２搬送路２０の一部を兼ねていることにより、図５及び図７に示すように、右側の駆動ローラ１２１Ａ及び右側のピンチローラ１２１Ｐは、第２搬送路２０にも露出している。これにより、カードＣＡが搬送される場合には、駆動ローラ１２１Ａとピンチローラ１２１Ｐとは、第２搬送路２０において駆動ローラ１１１Ａとピンチローラ１１１Ｐとに搬送されるカードＣＡを挟んで回転し、カードＣＡを第２排出口２２から筐体３０の外部に排出する。
【００９３】
本実施例では、各駆動ローラ１１１Ａ、１１２Ａ、１１３Ａ、１１３Ｂ、１２１Ａ、１２２Ａ、１２３Ａ、１２３Ｂの外径は同一である。また、各ピンチローラ１１１Ｐ、１１２Ｐ、１１３Ｐ、１１３Ｑ、１２１Ｐ、１２２Ｐ、１２３Ｐ、１２３Ｑの外径は同一である。
【００９４】
上流側搬送部１１０及び下流側搬送部１２０がシートＳＨを搬送する搬送速度をＶ２とする。そうすると、分離ローラ４１がシートＳＨを搬送する搬送速度Ｖ１は、上流側搬送部１１０及び下流側搬送部１２０がシートＳＨを搬送する搬送速度Ｖ２より遅くされている。このため、シートＳＨが上流側搬送部１１０に到達すると、分離ローラ４１が回転軸４１Ｓに対して図６の紙面に向かって反時計方向に相対回転することをワンウェイクラッチ４１Ｃが許容し、上流側搬送部１１０によって搬送速度Ｖ２で搬送されるシートＳＨに分離ローラ４１が従動する。
【００９５】
図３及び図６等に示すように、タッチパネル７０は、第１筐体３１の内部における上面３１Ａ側に組み付けられている。タッチパネル７０は、上面３１Ａにくり抜かれた矩形状のタッチパネル用開口３１Ｈにより外部に露出している。タッチパネル７０は、液晶パネルと、液晶パネルの背面側から光を照射する蛍光ランプやＬＥＤ等の光源と、液晶パネルの表面に貼り合わされた接触感知膜とを有している。
【００９６】
タッチパネル７０は、制御基板５４に制御されて、画像読取動作の処理状況やエラー状況等である画像読取装置１の稼働状況等を表示する。また、タッチパネル７０は、外部からの操作を受け付ける。具体的には、タッチパネル７０は、図１に示す「ＳＴＡＲＴ」ボタンＢ１のような各種のボタンを表示する。そして、ユーザがいずれかのボタンに対応する処理の実行指示や設定入力を行うために、タッチパネル７０に触れると、タッチパネル７０は、その操作を受け付けて、制御基板５４に伝達する。
【００９７】
図１及び図３等に示すように、開閉位置センサ６０は、給送トレイ３６の筐体３０に対する位置を検知するものである。より詳しくは、開閉位置センサ６０は、右側のサイドフレーム３３Ｒの後側上端部に設けられて、右側のヒンジ部３６Ｒに隣接している。開閉位置センサ６０は、マイクロスイッチやロータリースイッチ等からなり、給送トレイ３６の開閉軸心Ｘ３６周りの回動によって断接する。開閉位置センサ６０は、給送トレイ３６が開位置にあることを検知し、その旨の検知信号を制御基板５４に伝達する。
【００９８】
＜シート及びカードの画像読取動作＞
この画像読取装置１では、以下のようにして、シートＳＨ及びカードＣＡの画像が読み取られる。
【００９９】
シートＳＨの画像が読み取られる場合、ユーザにより、給送トレイ３６が開位置にあれば開位置が維持され、給送トレイ３６が閉位置にあれば開位置に変位される。そして、ユーザにより、開位置にある給送トレイ３６にシートＳＨが載置される。制御基板５４は、タッチパネル７０からシートＳＨの読取指示があった場合に、シートＳＨの画像読取動作を開始する。タッチパネル７０のシート読取指示は、タッチパネル７０に表示されたシート読取「ＳＴＡＲＴ」ボタンが押されることにより生成され、制御基板５４に送られる。図示は省略するが、シート読取「ＳＴＡＲＴ」ボタンは、図１に示すカード読取「ＳＴＡＲＴ」ボタンＢ１と同様の表示である。
【０１００】
そうすると、制御基板５４は、給送トレイ３６が開位置にあることを開閉位置センサ６０が検知し、給送トレイ３６にシートＳＨが存在することを図示しないシートセンサが検知していることを確認した上で、搬送部４０の駆動モータ４０Ｍを駆動する制御を行う。そうすると、まず、分離ローラ４１が分離パッド４９とシートＳＨを挟みながら回転する。分離ローラ４１は、給送トレイ３６上のシートＳＨを第１導入口１１から導入し、シートＳＨを第１搬送路１０に送り出す。この際、複数枚のシートＳＨが重なった状態で搬送されようとしている場合、分離パッド４９とシートＳＨとの間の摩擦力などにより、シートＳＨが一枚ずつ分離され得る。
【０１０１】
次に、上流側搬送部１１０の各駆動ローラ１１１Ａ、１１２Ａ、１１３Ａ、１１３Ｂ及び各ピンチローラ１１１Ｐ、１１２Ｐ、１１３Ｐ、１１３Ｑと、下流側搬送部１２０の各駆動ローラ１２１Ａ、１２２Ａ、１２３Ａ、１２３Ｂ及び各ピンチローラ１２１Ｐ、１２２Ｐ、１２３Ｐ、１２３Ｑとが分離ローラ４１に送り出されたシートＳＨを第１搬送路１０において搬送する。第１搬送路１０において搬送されるシートＳＨの両面の画像が画像読取センサ５５Ａ、５５Ｂにより読み取られる。画像が読み取られたシートＳＨは、各駆動ローラ１２１Ａ、１２２Ａ、１２３Ａ、１２３Ｂ及び各ピンチローラ１２１Ｐ、１２２Ｐ、１２３Ｐ、１２３Ｑにより第１排出口１２から筐体３０の外部に排出される。
【０１０２】
一方、カードＣＡの画像が読み取られる場合、ユーザにより、給送トレイ３６が開位置にあれば閉位置に変位され、給送トレイ３６が閉位置にあれば閉位置に維持される。そして、図２に示すように、ユーザにより、カードＣＡが筐体３０の後方から第２導入口２２に差し込まれ、第２搬送路２０に導入される。制御基板５４は、タッチパネル７０からカードＣＡの読取指示があった場合に、カードＣＡの画像読取動作を開始する。タッチパネル７０のカード読取指示は、タッチパネル７０に表示されたカード読取「ＳＴＡＲＴ」ボタンＢ１が押されることにより生成され、制御基板５４に送られる。
【０１０３】
そうすると、制御基板５４は、カードＣＡが第２導入口２２に存在することを図示しないカードセンサが検知していることを確認した上で、搬送部４０の駆動モータ４０Ｍを駆動する制御を行う。そうすると、上流側搬送部１１０の右側の駆動ローラ１１１Ａ及びピンチローラ１１１Ｐと、下流側搬送部１２０の右側の駆動ローラ１２１Ａ及びピンチローラ１２１ＰとがカードＣＡを第２搬送路２０において搬送する。第２搬送路２０において搬送されるカードＣＡの両面の画像が画像読取センサ５５Ａ、５５Ｂにより読み取られる。画像が読み取られたカードＣＡは、駆動ローラ１２１Ａ及びピンチローラ１２１Ｐにより第１排出口１２から筐体３０の外部に排出される。
【０１０４】
＜作用効果＞
第１実施例の画像読取装置１では、分離ローラ４１からシートＳＨに伝達される搬送力がシートＳＨにおける左右方向の中間に作用する。第１上流側ローラ対１１１及び第１下流側ローラ対１２１のそれぞれからシートＳＨに伝達される搬送力がシートＳＨにおける右側に作用する。第２上流側ローラ対１１２及び第２下流側ローラ対１２２のそれぞれからシートＳＨに伝達される搬送力がシートＳＨにおける左側に作用する。このため、それらの搬送力がシートＳＨにおける左右方向の右端側から左端側に亘って均等に作用し得る。
【０１０５】
したがって、第１実施例の画像読取装置１では、幅の異なるシートＳＨ及びカードＣＡを搬送して、それらの画像を読み取ることが可能であるとともに、シートＳＨの第１搬送路１０における斜行を抑制できる。
【０１０６】
また、この画像読取装置１では、第３上流側ローラ対１１３が左右方向において第１上流側ローラ対１１１と第２上流側ローラ対１１２との間に位置している。また、第３下流側ローラ対１２３が左右方向において第１下流側ローラ対１２１と第２下流側ローラ対１２２との間に位置している。これにより、この画像読取装置１では、第３上流側ローラ対１１３及び第３下流側ローラ対１２３のそれぞれからシートＳＨに伝達される搬送力がシートＳＨにおける左右方向の中間に作用し得る。このため、この画像読取装置１では、シートＳＨにおける左右方向の右端側から左端側に亘って、搬送力が一層均等に作用し得る。その結果、この画像読取装置１では、シートＳＨの斜行を一層抑制できる。
【０１０７】
さらに、この画像読取装置１では、第３上流側ローラ対１１３がシートＳＨを挟むニップ力、すなわち付勢力Ｆ１３は、第１上流側ローラ対１１１がシートＳＨを挟むニップ力、すなわち付勢力Ｆ１１より大きい。また、付勢力Ｆ１３は、第２上流側ローラ対１１２がシートＳＨを挟むニップ力、すなわち付勢力Ｆ１２より大きい。また、第３下流側ローラ対１２３がシートＳＨを挟むニップ力、すなわち付勢力Ｆ２３は、第１下流側ローラ対１２１がシートＳＨを挟むニップ力、すなわち付勢力Ｆ２１より大きい。また、付勢力Ｆ２３は、第２下流側ローラ対１２２がシートＳＨを挟むニップ力、すなわち付勢力Ｆ２２より大きい。これにより、この画像読取装置１では、第３上流側ローラ対１１３及び第３下流側ローラ対１２３は、左右方向の中間で、第１上流側ローラ対１１１、第１下流側ローラ対１２１、第２上流側ローラ対１１２及び第２下流側ローラ対１２２よりも強く搬送力をシートＳＨに伝達できる。従って、シートＳＨの右側又は左側に働く搬送力よりシートＳＨの中央側に働く搬送力の方が大きいため、シートＳＨの中央側を中心としたシートＳＨの回転が起き難い。その結果、この画像読取装置１では、シートＳＨの斜行を一層抑制できる。
【０１０８】
また、この画像読取装置１では、各駆動ローラ１１１Ａ、１１２Ａ、１１３Ａ、１１３Ｂは、第１駆動軸心Ｘ１Ａ周りに回転可能に支持されている。また、各駆動ローラ１２１Ａ、１２２Ａ、１２３Ａ、１２３Ｂは、第２駆動軸心Ｘ２Ａ周りに回転可能に支持されている。これにより、この画像読取装置１では、各駆動ローラ１１１Ａ、１１２Ａ、１１３Ａ、１２１Ａ、１２２Ａ、１２３Ａ、１２３Ｂのそれぞれの駆動軸心が異なっている場合と比較して、回転軸や軸受等の部品点数を削減できる。
【０１０９】
さらに、この画像読取装置１では、各ピンチローラ１１１Ｐ、１１２Ｐ、１１３Ｐ、１１３Ｑは、シートＳＨ又はカードＣＡに当接していない状態では、第１従動軸心Ｘ１Ｐ周りに回転可能に支持され、シートＳＨ又はカードＣＡに当接することにより個別に第１駆動軸心Ｘ１Ａから離間する。より具体的には、第１従動軸１１１Ｓと、第１従動軸１１２Ｓと、第１従動軸１１３Ｓとが一本の軸ではなく、別々の軸であるから、各ピンチローラ１１１Ｐ、１１２Ｐ、１１３Ｐ、１１３Ｑは、個別に離間する。また、各ピンチローラ１２１Ｐ、１２２Ｐ、１２３Ｐ、１２３Ｑは、シートＳＨ又はカードＣＡに当接していない状態では、第２従動軸心Ｘ２Ｐ周りに回転可能に支持され、シートＳＨ又はカードＣＡに当接することにより個別に第２駆動軸心Ｘ２Ａから離間する。より具体的には、第２従動軸１２１Ｓと、第２従動軸１２２Ｓと、第２従動軸１２３Ｓとが一本の軸ではなく、別々の軸であるから、各ピンチローラ１２１Ｐ、１２２Ｐ、１２３Ｐ、１２３Ｑは、個別に離間する。これにより、この画像読取装置１では、各ピンチローラ１１１Ｐ、１１２Ｐ、１１３Ｐ、１２１Ｐ、１２２Ｐ、１２３Ｐ、１２３Ｑの外径を同一にできる。その結果、この画像読取装置１では、ピンチローラ１１１Ｐ、１１２Ｐ、１１３Ｐ、１２１Ｐ、１２２Ｐ、１２３Ｐ、１２３Ｑを共通部品として、部品点数を削減できる。
【０１１０】
また、この画像読取装置１では、長さＬ１１と長さＬ１２とが等しく、付勢力Ｆ１１と付勢力Ｆ１２とが等しい。また、（付勢力Ｆ１３／長さＬ１３）は、（付勢力Ｆ１１／長さＬ１１）と（付勢力Ｆ１２／長さＬ１２）とに等しい。これにより、この画像読取装置１では、第１上流側ローラ対１１１、第２上流側ローラ対１１２及び第３上流側ローラ対１１３のシートＳＨに対する左右方向の単位長さ当たりのニップ力が均一化され得る。このため、この画像読取装置１では、第１上流側ローラ対１１１、第２上流側ローラ対１１２及び第３上流側ローラ対１１３のシートＳＨに対する搬送速度差を確実に小さくできる。例えば、中央側に位置する第３上流側ローラ対１１３のシートＳＨに対する搬送速度が、左右側に位置する第１上流側ローラ対１１１、及び第２上流側ローラ対１１２のシートに対する搬送速度と異なる場合、シートＳＨが変形し得る。しかし、この画像読取装置１では、シートＳＨに対する搬送速度差を小さくできるため、シートＳＨの変形を抑制でき、シートＳＨにしわや傷が発生し難い。
【０１１１】
さらに、この画像読取装置１では、長さＬ２１と長さＬ２２とが等しく、付勢力Ｆ２１と付勢力Ｆ２２とが等しい。また、（付勢力Ｆ２３／長さＬ２３）は、（付勢力Ｆ２１／長さＬ２１）と（付勢力Ｆ２２／長さＬ２２）とに等しい。これにより、この画像読取装置１では、第１下流側ローラ対１２１、第２下流側ローラ対１２２及び第３下流側ローラ対１２３のシートＳＨに対する左右方向の単位長さ当たりのニップ力が均一化され得る。このため、この画像読取装置１では、第１下流側ローラ対１２１、第２下流側ローラ対１２２及び第３下流側ローラ対１２３のシートＳＨに対する搬送速度差を確実に小さくできる。例えば、中央側に位置する第３下流側ローラ対１２３のシートＳＨに対する搬送速度が、右側及び左側に各々位置する第１下流側ローラ対１２１、又は第２下流側ローラ対１２２のシートに対する搬送速度と異なる場合、シートＳＨが変形し得る。しかし、この画像読取装置１では、シートＳＨに対する搬送速度差を小さくできるため、シートＳＨの変形を抑制でき、シートＳＨにしわや傷が発生し難い。
【０１１２】
その結果、この画像読取装置１では、シートＳＨの斜行を確実に抑制できる。また、シートＳＨにしわや傷が発生し難くなる。
【０１１３】
また、この画像読取装置１では、分離ローラ４１がシートＳＨを搬送する搬送速度Ｖ１は、上流側搬送部１１０及び下流側搬送部１２０がシートＳＨを搬送する搬送速度Ｖ２より遅くされている。さらに、分離ローラ４１と上流側搬送部１１０とがシートＳＨを搬送する際、分離ローラ４１はシートＳＨに従動する。これにより、この画像読取装置１では、分離ローラ４１がシートＳＨに従動する際、シートＳＨは、左右方向の中間に位置する分離ローラ４１から搬送抵抗を受けながら、右側に位置する第１上流側ローラ対１１１と、左側に位置する第２上流側ローラ対１１２とに搬送される。その結果、この画像読取装置１では、シートＳＨの斜行を一層確実に抑制できる。
【０１１４】
（第２実施例）
図１０及び図１１に示すように、第２実施例の画像読取装置では、第１実施例の画像読取装置１における第２排出口２２を第２導入排出口２２１に変更し、第１実施例の画像読取装置１における第２導入口２１を中間排出口２２２に変更している。第２実施例のその他の構成は第１実施例と同一である。このため、第１実施例と同一の構成については、同一の符号を付して説明を省略又は簡略する。
【０１１５】
第２導入排出口２２１は、第１実施例の第２排出口２２と同一形状である。第２導入排出口２２１は、第１排出口１２の右端側の一部と共用されている。中間排出口２２２は、第１実施例の第２導入口２１と同一形状である。
【０１１６】
第２導入排出口２２１に、カードＣＡが導入される。上流側搬送部１１０の右側の駆動ローラ１１１Ａ及びピンチローラ１１１Ｐと、下流側搬送部１２０の右側の駆動ローラ１２１Ａ及びピンチローラ１２１Ｐとは、第２搬送路２０においてカードＣＡを後方に搬送する。この後方へのカードＣＡの搬送は、制御基板５４のＣＰＵが、搬送部４０を第１実施例における搬送部４０の回転方向と反対方向に逆送させることにより実行される。そして、カードＣＡは、中間排出口２２２から筐体３０の外部に自己の一部が排出される。つまり、カードＣＡは、駆動ローラ１１１Ａ及びピンチローラ１１１Ｐと、駆動ローラ１２１Ａ及びピンチローラ１２１Ｐとによって頭出し位置に達するまで後方に搬送される。次に、駆動ローラ１１１Ａ及びピンチローラ１１１Ｐと、駆動ローラ１２１Ａ及びピンチローラ１２１Ｐとは、第２搬送路２０においてカードＣＡを前方に搬送する。この際、画像読取センサ５５Ａ、５５Ｂにより画像を読み取られた後、カードＣＡは、第２導入排出口２２１から筐体３０の外部に排出される。
【０１１７】
上記第２実施例の画像読取装置も、第１実施例の画像読取装置１と同様の作用効果を奏することができる。
【０１１８】
（第３実施例）
図１２に示すように、第３実施例の画像読取装置では、第１実施例の画像読取装置１における第２排出口２２をカードＣＡが導入される第２導入口に変更し、第１実施例の画像読取装置１における第２導入口２１をカードＣＡが排出される第２排出口３２２に変更している。第３実施例のその他の構成は第１実施例と同一である。このため、第１実施例と同一の構成については、同一の符号を付して説明を省略又は簡略する。
【０１１９】
第３実施例の第２導入口は、第２実施例の第２導入排出口２２１と同様に、第１実施例の第２排出口２２と同一形状である。このため、図示は省略する。第２排出口３２２は、第１実施例の第２導入口２１と同一形状である。
【０１２０】
第２導入口に、カードＣＡが導入される。上流側搬送部１１０の右側の駆動ローラ１１１Ａ及びピンチローラ１１１Ｐと、下流側搬送部１２０の右側の駆動ローラ１２１Ａ及びピンチローラ１２１Ｐとは、第２搬送路２０においてカードＣＡを後方に搬送する。そして、カードＣＡは、画像読取センサ５５Ａ、５５Ｂにより画像を読み取られた後、第２排出口３２２から筐体３０の外部に排出される。
【０１２１】
上記第３実施例の画像読取装置も、第１実施例の画像読取装置１と同様の作用効果を奏することができる。
【０１２２】
以上において、本発明を第１実施例〜第３実施例に即して説明したが、本発明は上記第１実施例〜第３実施例に制限されるものではなく、その趣旨を逸脱しない範囲で適宜変更して適用できることはいうまでもない。
【０１２３】
第１実施例では、第３上流側ローラ対１１３と第３下流側ローラ対１２３とはそれぞれ、２組のローラ対からなっているがこの構成には限定されない、第３上流側ローラ対１１３と第３下流側ローラ対１２３とはそれぞれ、１組のローラ対からなっていてもよいし、３組以上のローラ対からなっていてもよい。第１上流側ローラ対１１１、第２上流側ローラ対１１２、第１下流側ローラ対１２１及び第２下流側ローラ対１２２も同様である。
【０１２４】
第１実施例では、第３上流側ローラ対１１３及び第３下流側ローラ対１２３がカードＣＡの搬送を行わないがこの構成には限定されない。第３上流側ローラ対及び第３下流側ローラ対は、第１上流側ローラ対及び第１下流側ローラ対とともに、カードＣＡを搬送してもよい。
【０１２５】
第１実施例では、カードＣＡが第２排出口２２から筐体３０の外部に排出されていたが、この構成を変更して、カードＣＡが第２排出口２２から一時的に外部に露出した後、第２導入口２１に向かって逆送され、第２導入口２１から筐体３０の外部に排出されるようにしてもよい。
【０１２６】
画像読取センサ５５Ａ、５５Ｂは、第１実施例ではＣＩＳを備えていたがこれに限らず、ＣＩＳの代わりに、Ｃｈａｒｇｅ  Ｃｏｕｐｌｅｄ  Ｄｅｖｉｃｅ（ＣＣＤ）等が採用されてもよい。
【産業上の利用可能性】
【０１２７】
本発明は画像読取装置又は複合機等に利用可能である。
【符号の説明】
【０１２８】
１…画像読取装置、ＳＨ…シート（第１媒体）、ＣＡ…カード（第２媒体）
１０…第１搬送路、２０…第２搬送路、３０…筐体、５５…読取部
４１…分離ローラ（供給部）、１１０…上流側搬送部、１２０…下流側搬送部
１１１…第１上流側ローラ対、１１２…第２上流側ローラ対
１１３…第３上流側ローラ対、１２１…第１下流側ローラ対
１２２…第２下流側ローラ対、１２３…第３下流側ローラ対
１１１Ａ、１１２Ａ、１１３Ａ、１１３Ｂ、１２１Ａ、１２２Ａ、１２３Ａ、１２３Ｂ…駆動ローラ
１１１Ｐ、１１２Ｐ、１１３Ｐ、１１３Ｑ、１２１Ｐ、１２２Ｐ、１２３Ｐ、１２３Ｑ…ピンチローラ
Ｘ１Ａ…第１駆動軸心、Ｘ２Ａ…第２駆動軸心
Ｘ１Ｐ…第１従動軸心、Ｘ２Ｐ…第２従動軸心
Ｌ１１…第１上流側ローラ対が有する駆動ローラ及びピンチローラの幅方向の長さ
Ｌ１２…第２上流側ローラ対が有する駆動ローラ及びピンチローラの幅方向の長さ
Ｌ１３…第３上流側ローラ対が有する駆動ローラ及びピンチローラの幅方向の長さ
Ｌ２１…第１下流側ローラ対が有する駆動ローラ及びピンチローラの幅方向の長さ
Ｌ２２…第２下流側ローラ対が有する駆動ローラ及びピンチローラの幅方向の長さ
Ｌ２３…第３下流側ローラ対が有する駆動ローラ及びピンチローラの幅方向の長さ
Ｆ１１…第１上流側ローラ対が有するピンチローラの駆動ローラに対する付勢力（第１上流側ローラ対が第１媒体を挟むニップ力）
Ｆ１２…第２上流側ローラ対が有するピンチローラの駆動ローラに対する付勢力（第２上流側ローラ対が第１媒体を挟むニップ力）
Ｆ１３…第３上流側ローラ対が有するピンチローラの駆動ローラに対する付勢力（第３上流側ローラ対が第１媒体を挟むニップ力）
Ｆ２１…第１下流側ローラ対が有するピンチローラの駆動ローラに対する付勢力（第１下流側ローラ対が第１媒体を挟むニップ力）
Ｆ２２…第２下流側ローラ対が有するピンチローラの駆動ローラに対する付勢力（第２下流側ローラ対が第１媒体を挟むニップ力）
Ｆ２３…第３下流側ローラ対が有するピンチローラの駆動ローラに対する付勢力（第３下流側ローラ対が第１媒体を挟むニップ力）
Ｖ１…分離ローラが第１媒体を搬送する搬送速度
Ｖ２…上流側搬送部及び下流側搬送部が第１媒体を搬送する搬送速度
【図１】
2014069916.tif 000003
【図２】
2014069916.tif 000004
【図３】
2014069916.tif 000005
【図４】
2014069916.tif 000006
【図５】
2014069916.tif 000007
【図６】
2014069916.tif 000008
【図７】
2014069916.tif 000009
【図８】
2014069916.tif 000010
【図９】
2014069916.tif 000011
【図１０】
2014069916.tif 000012
【図１１】
2014069916.tif 000013
【図１２】
2014069916.tif 000014